(57)【要約】【課題】濡れた折りたたみ傘を折りたたむ際に、手が直接、傘の濡れた部分に触れることなく、しかもスムーズに短時間で折りたたむことができるための、傘に常時装着する一体型ケースを提供する。【解決手段】折りたたんだ状態の折りたたみ傘がすっぽり入る、ペットボトルサイズの円筒形の筒の一方に凹部５を形成させ、その中央に開口部４をあける。反対側には開閉自在な蓋１がついている。その開口部４に、筒の内部から中棒１２を通し、装着したまま傘の開閉ができるようにする。開いている傘をケースに収納するとき、手元９を回しながら下方に引っ張り収納すると、非常にスムーズに、自動的にコンパクトに折りたたまれて短時間で収納できるため、車の乗車時にもほとんど濡れずに乗車できる。傘の濡れた面はケースの中にあり、雨水が外に漏れることはなく、内部にたまった雨水は、内部の溝３を通って常時外に捨てられる。ケースの外側側面には肩に掛けられるひも８がついている。【選択図】図１
2020142039.tif 000002
【特許請求の範囲】
【請求項１】
筒状ケースの上部に開閉自在な蓋１を設け、底部は凹部５を形成しており、その中央部に中棒１２を通すための開口部４があることを特徴とする折りたたみ傘収納ケース。
【請求項２】
傘を回転させながら収納することを特徴とする、請求項１に記載の折りたたみ傘収納ケース。
【請求項３】
筒底部の凹部５に手元９が完全に収まり、筒底部を地面に接地させれば筒が直立することを特徴とする、請求項１又は請求項２に記載の折りたたみ傘収納ケース。
【請求項４】
筒状ケースの本体上部に、傘を開いた時、受け骨１０に引っ掛けられる係合部２を設けたことを特徴とする、請求項１又は請求項２又は請求項３に記載の折りたたみ傘収納ケース。
【請求項５】
筒状ケース本体の内側側部に溝３を形成したことを特徴とする、請求項１又は請求項２又は請求項３又は請求項４に記載の折りたたみ傘収納ケース。
【請求項６】
筒状ケース本体の外側側部に肩に掛けられるひも８を取り付けたことを特徴とする、請求項１又は請求項２又は請求項３又は請求項４又は請求項５に記載の折りたたみ傘収納ケース。
【発明の詳細な説明】
【技術分野】
【０００１】  この発明は、濡れた折りたたみ傘をたたむ際に、傘の濡れた部分に直接触れずに、かつ素早くコンパクトにたたむための、折りたたみ傘を収納する、傘に常時装着する一体型のケースに関するものである。
【背景技術】
【０００２】  従来はこのような折りたたみ傘と常時一体型のケースは存在しなかったように思われる。そのかわり別に収納袋を利用するか、又は雨水に触れることを可としてきた。
【先行技術文献】
【特許文献】
【０００３】
【特許文献１】実用新案登録第３１８０９３５号公報
【発明の概要】
【発明が解決しようとする課題】
【０００４】  上記の特許文献１では、傘使用時にケースの一部を取り外さなければならず、その部分を紛失するおそれがある。又、傘を折りたたむ際は、従来のように手で折りたたむようなので、手が雨水で濡れ、かつ折りたたむのに手間がかかり、煩わしい。
【課題を解決するための手段】
【０００５】  以上の課題を解決するために、第一は、折りたたみ傘の手元９を、筒内部より底部にある開口部４を通し外に出すことにより、筒全体を傘に装着したまま、中棒１２を伸縮させられるようにする。そして上部に蓋１をつけ、底部に凹部５を形成することにより、筒内部に溜まった雨水を外に漏れにくくする。この蓋１は、蓋と本体の接続部６で本体と接続していて、普段は半開きの状態であるが、閉じる場合は固定具７をかける。【０００６】  第二は、折りたたむ際に、まずは手動で傘をすぼめ、露先１１をすべて筒内上部に入れる。そして、手元９を回しつつ下方に引っ張りながら傘を筒内に収納すると、傘は自動的に折りたたまれ、スムーズに短時間で収納されるため、手が雨水で濡れることはほとんどなく、折りたたむ手間もほとんどかからない。傘を回転させる意味は、そうすることにより傘がよりコンパクトにたたまれ、回転させずに収納する場合より、筒の口径が小さくて済むことが挙げられる。【０００７】  第三は、本体上部に係合部２を設け、傘を開いた時に受け骨１０に引っ掛けられ、ケースで視界が妨げられないようにする。材質をプラスチック等の透明または半透明のものにすれば更にこの役に立つ。その際、半開きの状態になっている蓋１がこま１３との間でクッションになり、ケースがしっかりと固定される。【０００８】  第四は、ケースの内側側部に、上方にのみ排水口のある溝３を設けることにより、筒内部に溜まった雨水をスムーズに外に捨てられる。【０００９】  第五は、外側側面についているひも８を肩に掛ければ、ケースを手に持つ必要がなく、携帯および移動が楽にできる。
【発明の効果】
【００１０】  本発明においては、折りたたみ傘をケースに丸ごと収納するため、持ち運び時に雨水で体が濡れることは一切ない。そして、開いている傘をケースに収納するとき、手元９を回しながら下方に引っ張り収納すれば、傘は自動的に折りたたまれて非常にスムーズに短時間で収納できるため、車の乗車時等にほとんど濡れずに乗車できる。そして蓋１を閉め、手元９を筒底部の凹部５に押し込めば、手元９は完全に凹部５のくぼみの中に収まる。従って、筒の底部を地面に接地させれば筒は直立する。しばらくこの状態で置いておけば、傘に付いた雨水は筒の底部に溜まるので、溝３を通してすべて外に捨てられる。場所を取らず、又、外に水が漏れないため、室内を含めどこにでも置いておける。【００１１】  次に、外側に肩に掛けられるようにひも８がついていて携帯できるため，両手に物が持て、店舗などでの買い物が楽である。又、店舗などでは、入口によくビニール製の傘袋が置かれていて、それに入れてから入店するように促されているが、このケースを使えばそれが全く不要になり、エコの面からも良いと思われる。そして傘を常に携帯できることにより、よくありがちな傘の置き忘れも防止することができる。
【図面の簡単な説明】
【００１２】
【図１】この発明の全体図である。
【図２】この発明に傘を収納した図である。
【図３】この発明を傘に掛けた図である。（正面）
【図４】この発明を傘に掛けた図である。（横）
【図５】傘を収納する途中図である。
【発明を実施するための形態】
【００１３】  この発明の全体図を図１に示す。まず筒１４を傘１５に装着する場合、固定具７を外し、ケースの蓋１を開け、市販の折りたたみ傘の手元９を、筒内部を通して、開口部４を通過させる。その際、手元９は多くの場合取り外せるので、取り外した状態で通過させ、通過した後に再度装着する。次に、開いている傘を収納する際は、中棒１２を最大限に伸ばした状態で、まずは手動で傘をすぼめ、露先１１をすべて筒内上部に入れる。そして手元９を回しながら下方に引っ張り下ろせば、傘は自動的に折りたたまれてスムーズに筒内部に収納される（図５）。そして蓋１を閉め、固定具７をかけ、今度は手元９をケース内部に向け押し込むと、蓋１が閉めてあるため傘本体は外に飛び出さず、手元９は底部の凹部５のくぼみの中にすべて収まる（図２）。そして底部を地面に接地させれば筒は直立する。よって、ほとんど場所を取らずにどこにでも置いておける。従来は濡れた傘を部屋の中に置いておくことはなかったが、この場合は部屋の中も可能である。この時、雨水が傘に付着していれば、筒内部の底に落ちるので、溝３を通して外に捨てられる。ひも８を肩に掛けて移動していても同様である。
【００１４】  傘を使用する際は、まず手元９を最大限下方に引き、次に固定具７を外し、蓋１を開け、手元９を上方に押し上げ、傘本体を筒から出す。そして傘を開き、筒を上方にスライドさせ、係合部２を受け骨１０に掛ける（図３）。その時、半開き状態の蓋１がこま１３との間でクッションになり、筒は固定される（図４）。
【００１５】  筒の材質は、ペットボトル等のプラスチック製の透明または半透明のものが望ましいと思われる。前方の視界が確保され、より安全であるからである。又、プラスチック製であれば軽量であり、受け骨１０に掛けた時、重さが苦にならない。開口部４の穴の大きさと、手元９の大きさであるが、手元９の方が大きくなるようにする。そうすれば筒から傘が抜けることがなく常時装着しておけるため、装着したり外したりといった煩わしさがなくなる。
【符号の説明】
【００１６】  １  蓋
２  係合部
３  溝
４  開口部
５  凹部
６  蓋と本体の接続部
７  固定具
８  ひも
９  手元
１０  受け骨
１１  露先
１２  中棒
１３  こま
１４  筒
１５  傘
【図１】
2020142039.tif 000003
【図２】
2020142039.tif 000004
【図３】
2020142039.tif 000005
【図４】
2020142039.tif 000006
【図５】
2020142039.tif 000007
【手続補正書】
【提出日】令和1年7月6日(2019.7.6)
【手続補正１】
【補正対象書類名】特許請求の範囲
【補正対象項目名】全文
【補正方法】変更
【補正の内容】
【特許請求の範囲】
【請求項１】
筒状ケースの上部に開閉自在な蓋１を設け、底部は筒の外側に凹部５を形成しており、その中央部に、筒全体を傘に装着したまま中棒１２を伸縮させられるように中棒１２を通すための開口部４があることを特徴とする折りたたみ傘収納ケース。
【請求項２】
傘の手元９を下方に引きながら回転させ傘を筒内部に収納することを特徴とする、請求項１に記載の折りたたみ傘収納ケース。
【請求項３】
筒底部の凹部５に手元９が完全に収まり、筒底部を地面に接地させれば筒が直立することを特徴とする、請求項１又は請求項２に記載の折りたたみ傘収納ケース。
【請求項４】
筒状ケースの本体上部に、傘を開いた時、受け骨１０に引っ掛けられる係合部２を設けたことを特徴とする、請求項１又は請求項２又は請求項３に記載の折りたたみ傘収納ケース。
【請求項５】
筒状ケース本体の内側側部に排水のための溝３を形成したことを特徴とする、請求項１又は請求項２又は請求項３又は請求項４に記載の折りたたみ傘収納ケース。
【請求項６】
筒状ケース本体の外側側部に肩に掛けられるひも８を取り付けたことを特徴とする、請求項１又は請求項２又は請求項３又は請求項４又は請求項５に記載の折りたたみ傘収納ケース。